(57)【要約】【課題】取り回し性が良好となってハイパワーも得られる充電式シャーを提供する。【解決手段】充電式シャー１は、ステータ２０と、ステータ２０に対して回転可能なロータ２１とを有するブラシレスモータ５と、ブラシレスモータ５を収容するモータハウジング４と、モータハウジング４に繋がるグリップハウジング８と、グリップハウジング８に繋がるバッテリー保持ハウジング９と、ロータ２１の前方に配置され、ロータ２１により駆動して剪断動作するハサミ部３と、を含んでなる。【選択図】図４
2020069259.tif 000002
【特許請求の範囲】
【請求項１】
ステータと、前記ステータに対して回転可能なロータとを有するブラシレスモータと、
前記ブラシレスモータを収容するモータハウジングと、
前記モータハウジングに繋がるグリップハウジングと、
前記グリップハウジングに繋がるバッテリー保持ハウジングと、
前記ロータの前方に配置され、前記ロータにより駆動して剪断動作するハサミ部と、を含んでなる充電式シャー。
【請求項２】
ハウジングと、
ステータと、前記ステータに対して回転可能なロータとを有するモータと、
前記ロータの前方に配置され、前記ロータにより駆動して剪断動作するハサミ部と、を備え、
前記ハウジングは、前記モータを収容するモータハウジングと、前記モータハウジングに繋がるグリップハウジングと、前記グリップハウジングに繋がるバッテリー保持ハウジングと、を含み、
前記ハウジングに、前記ハサミ部を照明するためのライトが設けられていることを特徴とする充電式シャー。
【請求項３】
前記グリップハウジングは、上下方向に延びて下端が前記モータハウジングよりも下方に位置するループ状で、前記ライトは、前記グリップハウジングの上面に設けられていることを特徴とする請求項２に記載の充電式シャー。
【請求項４】
前記グリップハウジングの下端に前記バッテリー保持ハウジングが設けられ、前記ライトは、前記バッテリー保持ハウジングの上面に設けられていることを特徴とする請求項２に記載の充電式シャー。
【請求項５】
前記ハサミ部は、前記ハウジングに対して前後方向の軸に対して回転可能且つ任意の回転位置で固定可能に設けられていることを特徴とする請求項２乃至４の何れかに記載の充電式シャー。
【発明の詳細な説明】
【技術分野】
【０００１】
本発明は、空調ダクトやルーフィング材、セメントボード等の被切断材の切断に使用される充電式シャーに関する。
【背景技術】
【０００２】
従来、非特許文献１に開示されているように、ハウジングの先端に、モータ駆動で開閉動作するハサミ部を備えて、空調ダクトやルーフィング材、セメントボード等の被切断材の切断に使用可能なＡＣシャーが知られている。
【先行技術文献】
【非特許文献】
【０００３】
【非特許文献１】Makita USA - Product Details -JS8000に記載の「Fiber Cement Shear」、［平成３０年１０月１８日検索］、インターネット＜URL:https://www.makitatools.com/products/details/JS8000＞
【発明の概要】
【発明が解決しようとする課題】
【０００４】
上記従来のＡＣシャーは、電源コードが繋がって取り回し性が悪くなるおそれがある。また、ブラシ付モータを用いると、被切断材によってはパワー不足となってしまう。
【０００５】
そこで、本発明は、取り回し性が良好となってハイパワーも得られる充電式シャーを提供することを目的としたものである。
【課題を解決するための手段】
【０００６】
上記目的を達成するために、請求項１に記載の発明は、ステータと、ステータに対して回転可能なロータとを有するブラシレスモータと、ブラシレスモータを収容するモータハウジングと、モータハウジングに繋がるグリップハウジングと、グリップハウジングに繋がるバッテリー保持ハウジングと、ロータの前方に配置され、前記ロータにより駆動して剪断動作するハサミ部と、を含んでなることを特徴とする。
上記目的を達成するために、請求項２に記載の発明は、ハウジングと、ステータと、ステータに対して回転可能なロータとを有するモータと、ロータの前方に配置され、ロータにより駆動して剪断動作するハサミ部と、を備え、ハウジングは、モータを収容するモータハウジングと、モータハウジングに繋がるグリップハウジングと、グリップハウジングに繋がるバッテリー保持ハウジングと、を含み、ハウジングに、ハサミ部を照明するためのライトが設けられていることを特徴とする。
請求項３に記載の発明は、請求項２の構成において、グリップハウジングは、上下方向に延びて下端がモータハウジングよりも下方に位置するループ状で、ライトは、グリップハウジングの上面に設けられていることを特徴とする。
請求項４に記載の発明は、請求項２の構成において、グリップハウジングの下端にバッテリー保持ハウジングが設けられ、ライトは、バッテリー保持ハウジングの上面に設けられていることを特徴とする。
請求項５に記載の発明は、請求項２乃至４の何れかの構成において、ハサミ部は、ハウジングに対して前後方向の軸に対して回転可能且つ任意の回転位置で固定可能に設けられていることを特徴とする。
【発明の効果】
【０００７】
本発明によれば、充電式とすることで取り回し性が良好となり、ハイパワーも得られる。
【図面の簡単な説明】
【０００８】
【図１】形態１の充電式シャーの前方左側からの斜視図である。
【図２】形態１の充電式シャーの前方右側からの斜視図である。
【図３】形態１の充電式シャーの右からの側面図である。
【図４】形態１の充電式シャーの中央縦断面図である。
【図５】図４のＡ−Ａ線断面図である。
【図６】図５の前側部分の拡大図である。
【図７】形態２の充電式シャーの前方左側からの斜視図である。
【図８】形態２の充電式シャーの前方右側からの斜視図である。
【図９】形態２の充電式シャーの右からの側面図である。
【図１０】形態２の充電式シャーの中央縦断面図である。
【図１１】図１０のＢ−Ｂ線断面図である。
【図１２】形態３の充電式シャーの前方左側からの斜視図である。
【図１３】形態３の充電式シャーの前方右側からの斜視図である。
【図１４】形態３の充電式シャーの右からの側面図である。
【図１５】形態３の充電式シャーの中央縦断面図である。
【図１６】図１５のＣ−Ｃ線断面図である。
【発明を実施するための形態】
【０００９】
以下、本発明の実施の形態を図面に基づいて説明する。
［形態１］
図１，２は、充電式シャーの一例を示す斜視図、図３は右からの側面図、図４は中央縦断面図、図５は図４のＡ−Ａ線断面図である。
この充電式シャー１は、全体が前後方向へ延びるハウジング２の前端に、剪断動作するハサミ部３を備えてなる。ハウジング２は、ブラシレスモータ５を収容するモータハウジング４と、モータハウジング４の前方へ繋がり減速部７を収容するギヤハウジング６と、モータハウジング４の後方へループ状（Ｄ字状）に繋がり、下端がモータハウジング４よりも下方へ突出するグリップハウジング８と、グリップハウジング８の下端に繋がるバッテリー保持ハウジング９とを有している。バッテリー保持ハウジング９には、前方からバッテリーパック１０がスライド装着される。バッテリーパック１０の取り外しはボタン１０ａの押し込み操作で可能となる。
【００１０】
このうちモータハウジング４、グリップハウジング８、バッテリー保持ハウジング９は、左右一対の半割ハウジング１１ａ，１１ｂを左右方向のネジ１２，１２・・によって組み付けてなる本体ハウジング１１に一体形成されている。ギヤハウジング６は、本体ハウジング１１の前端内部に収容されるインナハウジング１３と、本体ハウジング１１の前方で露出するアウタハウジング１４とからなる。このギヤハウジング６は、インナハウジング１３の前部外周に形成した後フランジ１５を、本体ハウジング１１の前端に係止させ、その前方からアウタハウジング１４の後端に形成した前フランジ１６を重ねて、両フランジ１５，１６を前方から貫通させたネジ１７，１７・・を、本体ハウジング１１の内周に設けたネジボス１８，１８・・にねじ込むことで、本体ハウジング１１に組み付けられる。モータハウジング４の左右の側面で前後両側には、上下方向に突条１９，１９が形成されて、地面等に横置きされた際のモータハウジング４の保護を図っている。
【００１１】
ブラシレスモータ５は、ステータ２０とロータ２１とを有するインナロータ型で、ロータ２１に設けた回転軸２２が前後方向に延びる向きでモータハウジング４内に収容されている。
まずステータ２０は、複数の鋼板を積層してなるステータコア２３と、ステータコア２３の前後に設けられる前絶縁部材２４及び後絶縁部材２５と、前絶縁部材２４及び後絶縁部材２５を介してステータコア２３に巻回される複数のコイル２６，２６・・と、を有し、半割ハウジング１１ａ，１１ｂの内面へそれぞれ対向状に立設される側面視四角形状のリブ２７，２７の内側で、半割ハウジング１１ａ，１１ｂの内面に設けた図示しない保持部によって保持されている。前絶縁部材２４には、コイル２６のワイヤをヒュージングするヒュージング端子２８（図５）が設けられ、ヒュージング端子２８へ電気的に接続された三相の電源線２９は、リブ２７の下部に設けた開口から引き出された後、グリップハウジング８の前方下側でモータハウジング４とバッテリー保持ハウジング９とを繋いで後下がり傾斜する下側傾斜部３０内を通って後述するコントローラ６０内の制御回路基板６１に接続されている。
【００１２】
ロータ２１は、軸心に位置する回転軸２２と、回転軸２２の周囲に配置されて複数の鋼板を積層してなる筒状のロータコア３１と、ロータコア３１の内部に配置される永久磁石３２，３２・・とを有する。後絶縁部材２５の後端には、永久磁石３２の位置を検出して回転検出信号を出力する図示しない３つの回転検出素子を搭載したセンサ回路基板３３が、回転軸２２との直交姿勢で後方からネジ固定されている。このセンサ回路基板３３の下端には、回転検出信号を出力する図示しない信号線が接続され、この信号線も、電源線２９と同様にリブ２７の下側の開口から引き出された後、下側傾斜部３０内を通って制御回路基板６１に接続されている。
【００１３】
リブ２７の後部には、回転軸２２の後端を軸支する軸受３４が保持されている。リブ２７内の前側には、ステータ２０の前方で回転軸２２に取り付けられたモータ冷却用の遠心ファン３５を収容するファン収容室３６が区画形成されている。ファン収容室３６の下側でモータハウジング４の下面には、周方向に並ぶ複数の排気口３７，３７・・（図５）が形成されている。ステータ２０の下部の左右外側でモータハウジング４の側面には、前後方向へ直線状に並ぶ複数の吸気口３８，３８・・が形成されている。
回転軸２２の前部は、リブ２７を貫通して前方へ突出し、インナハウジング１３に保持された軸受３９に支持されている。インナハウジング１３内に突出する回転軸２２の前端は、アウタハウジング１４に保持されたスリーブ４０に支持されている。軸受３９とスリーブ４０との間で回転軸２２には、ピニオン４１が形成されている。
【００１４】
モータハウジング４の上面には、前後を傾斜面として左右及び上部を開放する凹み部４５が形成されている。この凹み部４５において、グリップハウジング８の上面に位置する後側の傾斜面４６には、前後方向の貫通孔４７が形成されて、貫通孔４７内にライト４８が収容されている。このライト４８は、ＬＥＤ基板４９に搭載したＬＥＤ５０を前方からレンズ５１で覆ってなり、レンズ５１を貫通孔４７から前方へ臨ませた前向き姿勢で収容されている。レンズ５１の前面は、前方へ下り傾斜して、ＬＥＤ５０の光をモータハウジング４の上側で前方斜め上方へ照射可能としている。ＬＥＤ基板４９からのリード線は、モータハウジング４の後側内面とリブ２７との間を通って制御回路基板６１に接続されている。
ライト４８の後方でグリップハウジング８には、上下方向のグリップ部５５が形成されて、グリップ部５５の上端には、トリガ５７を前方へ突出させたスイッチ５６が収容されている。スイッチ５６の上側には、ブラシレスモータ５の正逆切替ボタン５８が設けられ、スイッチ５６の後方でグリップ部５５の左側面には、トリガ５７の押し込み状態でグリップ部５５側へ押し込み操作することでトリガ５７の押し込み状態を維持するロックオンボタン５９が設けられている。
【００１５】
グリップ部５５の下方でグリップハウジング８の下端には、マイコンやスイッチング素子等を搭載した制御回路基板６１をケース６２内に保持してなるコントローラ６０が、前後方向へ延びるように収容されている。制御回路基板６１上には、バッテリーパック１０の残容量の表示やブラシレスモータ５の回転数の表示、当該回転数の変更操作やライト４８のＯＮ／ＯＦＦ操作が可能な表示操作部６３が設けられて、グリップハウジング８のループ内の内底面に露出している。
また、コントローラ６０の下方のバッテリー保持ハウジング９内には、バッテリーパック１０が電気的に接続される端子台６４が、コントローラ６０と平行に保持されている。バッテリー保持ハウジング９の左右の側面には、吊り下げ用のフック６５の装着部（フック６５の上端を係止させる係止溝６６及びネジ止め用のネジ孔６７）がそれぞれ設けられて、フック６５を左右何れの側面にも装着可能としている。
【００１６】
一方、減速部７では、回転軸２２の上側に、回転軸２２と平行なスピンドル７０が設けられる。このスピンドル７０は、インナハウジング１３に保持される軸受７１（ニードルベアリング）によって後端が、アウタハウジング１４の前端に設けた筒部７２に保持される軸受７３（ボールベアリング）によって中間部がそれぞれ支持されて、筒部７２を貫通した前端を前方へ突出させている。スピンドル７０の後部には、回転軸２２のピニオン４１から図示しない中間軸を介して回転伝達されるギヤ７４が固定されている。
筒部７２の前方でスピンドル７０の前端には、偏心スリーブ７５が、スピンドル７０の軸線との偏心位置で一体回転可能に外装されて、偏心スリーブ７５には、軸受７６（ニードルベアリング）を介して、外面を球状としたカム７７が、偏心スリーブ７５と同軸で回転可能に外装されている。よって、スピンドル７０が回転すると、偏心スリーブ７５と共にカム７７がスピンドル７０の軸線回りに偏心運動することになる。
この偏心スリーブ７５及びカム７７は、偏心スリーブ７５の前端に設けたフランジ７８によって前方への抜け止めがなされる。偏心スリーブ７５の後方への位置決めは、軸受７３の前方でスピンドル７０に外装された筒状のスペーサ７９と、その前方のワッシャー８０とによって行われる。軸受７３は、スピンドル７０の大径の中間部と小径の前端部との間に形成される段部８１に当接して後方への位置決めがなされる。
【００１７】
ハサミ部３は、筒部７２の根元へ回転可能に外装される操作リング８５と、操作リング８５の前面へ固定され、前方への先細り筒状となる先端ホルダ８６と、先端ホルダ８６に保持される左右一対の固定刃８７，８７と、固定刃８７，８７の間で揺動可能に設けられる可動刃８８とを備えている。
まず、操作リング８５には、図６に示すように、後面に複数の係合凹部８９，８９・・が、周方向へ所定間隔をおいて形成されている。アウタハウジング１４の左側面には、操作リング８５の後面に対して前後移動可能な係合部材９１と、その係合部材９１を前方へ付勢するコイルバネ９２と、ロック解除ボタン９３とを収容した凹部９０が形成されている。この係合部材９１は、前進位置で操作リング８５の係合凹部８９に係合する係合突起９４を前面に有し、常態ではコイルバネ９２の付勢により、係合突起９４を係合凹部８９に係合させて操作リング８５の回転を規制するようになっている。
【００１８】
ロック解除ボタン９３は、凹部９０内で左右方向へスライド可能に設けられて、ロック解除ボタン９３の内側に設けた突起９５を、係合部材９１の外側に設けられて前方へ行くに従って右側へ傾斜する傾斜案内面９６に当接させている。
よって、ロック解除ボタン９３は、常態で前進位置に付勢される係合部材９１の傾斜案内面９６の後部に突起９５が当接することで、凹部９０から左外側へ突出する突出位置に付勢される。ここからロック解除ボタン９３を凹部９０内へ押し込み操作すると、突起９５が傾斜案内面９６に沿って相対的に前方へスライドすることで係合部材９１をコイルバネ９２の付勢に抗して後退させる。よって、係合突起９４が係合凹部８９から離間して、操作リング８５は回転方向への任意の角度に回転可能となる。そして、選択した角度でロック解除ボタン９３の押し込みを解除すると、再び前進位置へ前進した係合部材９１によって操作リング８５の回転が規制されることになる。ロック解除ボタン９３の後方でアウタハウジング１４の左側面には、常態でのロック解除ボタン９３の突出高さよりも高い保護リブ９７が上下方向に立設されて、ロック解除ボタン９３の不意の押し込みを防止している。
【００１９】
次に、先端ホルダ８６は、下面から前方にかけて前後方向に開口するスリット１００を備えており、スリット１００を形成する左右両側の支持片１０１，１０１のそれぞれの内面に、固定刃８７，８７が、スリット１００の下側から前側へ向けて上向きに傾斜する姿勢で、ネジ１０２，１０２によって固定されている。
可動刃８８は、先端ホルダ８６の前端で支持片１０１，１０１間に架設されて固定刃８７，８７を貫通する左右方向のボルト１０４により、固定刃８７，８７の間で中間部が回転可能に支持されている。また、可動刃８８は、後端から前向きに設けた球面状の切欠部１０３を、スピンドル７０の前端に設けたカム７７に前方から嵌合させて、切欠部１０３の上下の内面をカム７７の上下の周面に当接させている。よって、カム７７が偏心運動すると、可動刃８８は、カム７７の上下方向の移動分だけ上下に揺動し、ボルト１０４を中心に先端部を固定刃８７，８７の間で上下に揺動させる剪断動作を行うことになる。
【００２０】
以上の如く構成された充電式シャー１は、トリガ５７を押し操作すると、スイッチ５６がＯＮしてバッテリーパック１０からコントローラ６０の制御回路基板６１にＯＮ信号が伝達される。制御回路基板６１のマイコンは、センサ回路基板３３の回転検出素子から得られる検出信号によってロータ２１の回転状態を取得し、取得した回転状態に応じて制御回路基板６１に設けたスイッチング素子をＯＮ／ＯＦＦ動作させ、ステータ２０の各相のコイル２６へ順番に電流を流すことでロータ２１を回転させる。
こうしてロータ２１と共に回転軸２２が回転すると、ピニオン４１から中間軸、ギヤ７４を介してスピンドル７０が減速回転し、偏心スリーブ７５及びカム７７を偏心運動させるため、前述のように可動刃８８が上下に揺動し、固定刃８７，８７との間に挟んだ被切断材を剪断できる。
【００２１】
このとき表示操作部６３の操作でライト４８をＯＮさせれば、ＬＥＤ５０から照射される光が、モータハウジング４及びギヤハウジング６の上側を通って固定刃８７と可動刃８８との上端及びその上側延長上付近を照射するため、剪断部が照明されて暗い場所でも作業が容易に行える。
また、切断角度を変えたい場合は、前述のようにロック解除ボタン９３を押し操作して操作リング８５の回転規制を解除すると、操作リング８５と共に先端ホルダ８６、固定刃８７、可動刃８８が回転可能となるため、固定刃８７及び可動刃８８を任意の切断角度に合わせて固定できる。よって、作業性がより良好となる。
【００２２】
このように、上記形態１の充電式シャー１によれば、ステータ２０と、ステータ２０に対して回転可能なロータ２１とを有するブラシレスモータ５と、ブラシレスモータ５を収容するモータハウジング４と、モータハウジング４に繋がるグリップハウジング８と、グリップハウジング８に繋がるバッテリー保持ハウジング９と、ロータ２１の前方に配置され、ロータ２１により駆動して剪断動作するハサミ部３と、を含んでなることで、取り回し性が良好となり、ハイパワーも得られる。
また、ハウジング２と、ステータ２０と、ステータ２０に対して回転可能なロータ２１とを有するブラシレスモータ５（モータ）と、ロータ２１の前方に配置され、ロータ２１により駆動して剪断動作するハサミ部３と、を備え、ハウジング２は、ブラシレスモータ５を収容するモータハウジング４と、モータハウジング４に繋がるグリップハウジング８と、グリップハウジング８に繋がるバッテリー保持ハウジング９と、を含み、ハウジング２に、ハサミ部３を照明するためのライト４８が設けられていることで、取り回し性が良好となってハイパワーも得られるのに加え、ライト４８によってハサミ部３による剪断部が照明され、暗い場所でも作業性が良好となる。
【００２３】
特にここでは、グリップハウジング８は、上下方向に延びて下端がモータハウジング４よりも下方に位置するループ状で、ライト４８は、グリップハウジング８の上面に設けられているので、照明による影ができにくくなり、固定刃８７の延長上に剪断を進める充電式シャー１において剪断部を効果的に照明可能となる。
また、ハサミ部３は、ハウジング２に対して前後方向の軸に対して回転可能且つ任意の回転位置で固定可能に設けられているので、作業場所に合わせてハサミ部３の剪断角度を軸回りで調整でき、作業性がより良好となる。
【００２４】
なお、上記形態１では、固定刃と可動刃とが直線状となる充電式シャー（「ストレートシャー」とも称される。）を例示しているが、本発明はこれに限らない。以下、他の形態を説明するが、上記形態１と同じ構成部には同じ符号を付して重複する説明は省略する。
［形態２］
図７〜１１に示す充電式シャー１Ａにおいて、ハサミ部３では、左側の固定刃８７の下側に、前方へ突出する縦向き板状の突出片１０５が一体に形成されて、可動刃８８も突出片１０５の上方右側で突出片１０５と同じ縦向き板状に突出している。この突出片１０５と可動刃８８とは、先端部が左側へ屈曲して、前後上下方向で規定される面から左側へ傾斜して当該面からオフセットした剪断部１０６を形成している。突出片１０５の前端は、上向きに突出して被切断材を後側の剪断部１０６に導く係止部１０７となっている。
【００２５】
また、ここでのグリップハウジング８は、モータハウジング４の後部から下向きに形成されて、逆Ｌ字状の本体ハウジング１１を形成している。電源線２９及びセンサ回路基板３３の信号線は、リブ２７の上部に設けた開口から引き出されて、リブ２７の後方からグリップ部５５内を通って制御回路基板６１に接続される。
さらに、グリップハウジング８の下端にバッテリー保持ハウジング９が設けられる構成は同じであるが、表示操作部６３及びライト４８は、前方へ突出するバッテリー保持ハウジング９の上面で前後に並べて設けられている。ライト４８は、バッテリー保持ハウジング９の前側上面に突設された凸部１１０内に、斜め上向きに設けられて、ＬＥＤ５０からの光を下方から剪断部１０６に照射可能となっている。
【００２６】
このように、上記形態２の充電式シャー１Ａにおいても、ブラシレスモータ５の採用により、取り回し性が良好となってハイパワーも得られる。また、作業場所に合わせてハサミ部３の剪断角度を軸回りで調整でき、作業性がより良好となる。
特にここでは、ハサミ部３の先端へ下方からライト４８の光を照射することができるため、ハウジング２に阻害されることなく直接剪断部１０６を照明できる利点がある。
【００２７】
［形態３］
図１２〜１６に示す充電式シャー１Ｂにおいては、ハサミ部３の固定刃８７と可動刃８８とは形態１と同じ直線状であるが、何れも前方へ長く形成されて、剪断面が形態１よりも大きく（長く）なっている。これはセメントボード等の比較的肉厚の被切断材の切断に適しており、「セメントシャー」とも称される。
また、ここでの偏心スリーブ７５には、カムではなくボールベアリング１１１が外装されて、このボールベアリング１１１に可動刃８８の切欠部１０３が嵌合して可動刃８８の後端が上下に揺動可能となっている。その他の構成は形態１と同じである。
【００２８】
このように、上記形態３の充電式シャー１Ｂにおいても、ブラシレスモータ５の採用により、取り回し性が良好となってハイパワーも得られる。また、ライト４８がグリップハウジング８の上面に設けられているので、照明による影ができにくくなり、固定刃８７の延長上に剪断を進める充電式シャー１Ｂにおいて剪断部を効果的に照明可能となる。
さらに、作業場所に合わせてハサミ部３の剪断角度を軸回りで調整でき、作業性がより良好となる。
【００２９】
なお、各形態の充電式シャーの具体的な構造は上記説明に限らず、例えば形態１，３のの充電式シャーでも形態２の逆Ｌ字状のグリップハウジングを採用したり、形態２の充電式シャーでも形態１のループ状のグリップハウジングを採用したりしてもよい。
また、各形態において、下方に延びるグリップハウジングに代えて、モータハウジングから後方へ延長上に延びるグリップハウジングを設け、その後端にバッテリー保持ハウジングを設けることもできる。この場合、バッテリーパックはバッテリー保持ハウジングに対して上方からスライドさせたり左右方向からスライドさせたりすることになる。
さらに、ライトの配置も、形態１，３ではグリップハウジングの下側傾斜部の前面や側面にライトを設けたり、バッテリー保持ハウジングにライトを設けたりしてもよい。同様に、形態２ではモータハウジングやギヤハウジングの上面にライトを設けたりしてもよい。ハウジングの側面でも差し支えないし、ライトを複数設けてもよい。
その他、各形態に共通して、コントローラをグリップ部内に設けたり、ブラシレスモータの前後の向きを逆にして、センサ回路基板を前、遠心ファンを後にしたりしてもよい。また、ブラシレスモータを上下方向や斜め方向の向きで配置することもできる。
【符号の説明】
【００３０】
１，１Ａ，１Ｂ・・充電式シャー、２・・ハウジング、３・・ハサミ部、４・・モータハウジング、５・・ブラシレスモータ、６・・ギヤハウジング、７・・減速部、８・・グリップハウジング、９・・バッテリー保持ハウジング、１０・・バッテリーパック、１１・・本体ハウジング、１３・・インナハウジング、１４・・アウタハウジング、２０・・ステータ、２１・・ロータ、２２・・回転軸、２６・・コイル、３０・・下側傾斜部、４５・・凹み部、４８・・ライト、４９・・ＬＥＤ基板、５０・・ＬＥＤ、５１・・レンズ、５５・・グリップ部、６０・・コントローラ、６１・・制御回路基板、７０・・スピンドル、７５・・偏心スリーブ、７６・・カム、８５・・操作リング、８６・・先端ホルダ、８７・・固定刃、８８・・可動刃、９１・・係合部材、９３・・ロック解除ボタン、１０３・・切欠部、１０４・・ボルト、１０６・・剪断部。
【図１】
2020069259.tif 000003
【図２】
2020069259.tif 000004
【図３】
2020069259.tif 000005
【図４】
2020069259.tif 000006
【図５】
2020069259.tif 000007
【図６】
2020069259.tif 000008
【図７】
2020069259.tif 000009
【図８】
2020069259.tif 000010
【図９】
2020069259.tif 000011
【図１０】
2020069259.tif 000012
【図１１】
2020069259.tif 000013
【図１２】
2020069259.tif 000014
【図１３】
2020069259.tif 000015
【図１４】
2020069259.tif 000016
【図１５】
2020069259.tif 000017
【図１６】
2020069259.tif 000018